(57)【要約】【課題】リッピング時に使用者が耳障りと感じる騒音を低減することができる光ディスク再生装置、光ディスク再生プログラムおよび光ディスク再生プログラムを格納した記録媒体を提供する。【解決手段】車速パルスから取得した車両の速度が予め定めた速度未満か否かをＣＰＵ２で判定し、車両の速度が予め定めた速度未満と判定した際にはディスクモータ６の回転数を４倍速程度まで落とすように制御する。【選択図】図１
2011108340.tif 000002
【特許請求の範囲】
【請求項１】
光ディスクと、前記光ディスクを回転させる回転手段と、前記光ディスクから情報を読み出す読み出し手段と、前記読み出し手段が読み出した情報を格納する格納手段と、を備え、車両の車室内に設けられる光ディスク再生装置において、
前記車室内の騒音レベルを取得する騒音取得手段と、
前記騒音取得手段が取得した騒音レベルが予め定めた閾値未満か否かを判定する騒音レベル判定手段と、
前記騒音レベル判定手段が騒音レベルが予め定めた閾値未満と判定した際には前記回転手段の回転数を予め定めた所定値以下とする回転制御手段と、
を備えたことを特徴とする光ディスク再生装置。
【請求項２】
前記騒音取得手段が、マイクロホンで構成されていることを特徴とする請求項１に記載の光ディスク再生装置。
【請求項３】
前記騒音取得手段が、車両の走行速度を取得する走行速度取得手段で構成されているとともに、
前記騒音レベル判定手段が、前記走行速度取得手段が取得した走行速度が予め定めた速度未満か否かを判定している
ことを特徴とする請求項１または２に記載の光ディスク再生装置。
【請求項４】
光ディスクと、前記光ディスクを回転させる回転手段と、前記光ディスクから情報を読み出す読み出し手段と、前記読み出し手段が読み出した情報を記憶する記憶手段と、を備え、車両の車室内に設けられる光ディスク再生装置のコンピュータを、
前記車室内の騒音レベルを取得する騒音取得手段と、
前記騒音取得手段が取得した騒音レベルが予め定めた閾値未満か否かを判定する騒音レベル判定手段と、
前記騒音レベル判定手段が、騒音レベルが予め定めた閾値未満と判定した際には前記回転手段の回転数を予め定めた所定値以下とする回転制御手段と、
として機能させることを特徴とする光ディスク再生プログラム。
【請求項５】
請求項４に記載の光ディスク再生プログラムを格納したことを特徴とするコンピュータ読み取り可能な記録媒体。
【発明の詳細な説明】
【技術分野】
【０００１】
本発明は、例えば、車両の車室内に設けられ、光ディスクの情報を再生する光ディスク再生装置、光ディスク再生プログラムおよび光ディスク再生プログラムを格納した記録媒体に関する。
【背景技術】
【０００２】
近年、カーステレオなどに用いられる光ディスク再生装置には、ＣＤ（Compact Disc）などの光ディスクに記録された音楽などの情報を読み込み、圧縮などを行ってハードディスクドライブなどに記録するリッピングと呼ばれる機能を持つものが多くなっている。
【０００３】
このリッピングを行う際は、通常再生時よりも光ディスクを高速に回転させて情報を読み出すことで短時間にハードディスクドライブなどに情報を格納している。
【０００４】
しかしながら、光ディスクを高速に回転させて情報を読み出すと、光ディスクの回転による動作音が大きくなり非常に耳障りであるという問題があった。
【０００５】
このような問題に対して、例えば、特許文献１に記載の光ディスク再生装置が提案されている。特許文献１に記載の光ディスク再生装置は、挿入口の前面に前面パネルが配置された光ディスク再生装置において、前面パネルが完全に開いている状態か否かを完全開検出スイッチにより検出し、完全に開いている場合は、ディスクモータの回転数を予め定めた低倍速に低下させている。
【先行技術文献】
【特許文献】
【０００６】
【特許文献１】特開２００９−３２３１４号公報
【発明の概要】
【発明が解決しようとする課題】
【０００７】
特許文献１に記載の光ディスク再生装置は、前面パネルが無い装置には適用できないという問題がある。また、前面パネルを閉じた場合でも前面パネルの形状や、光ディスクの回転数によっては、光ディスクの回転による騒音を防止しきれずに使用者が耳障と感じてしまう場合もある。
【０００８】
そこで、本発明は、例えば、リッピング時に使用者が耳障りと感じる騒音を低減することができる光ディスク再生装置、光ディスク再生プログラムおよび光ディスク再生プログラムを格納した記録媒体を提供することを課題とする。
【課題を解決するための手段】
【０００９】
上記課題を解決するために、請求項１に記載の光ディスク再生装置は、光ディスクと、前記光ディスクを回転させる回転手段と、前記光ディスクから情報を読み出す読み出し手段と、前記読み出し手段が読み出した情報を格納する格納手段と、を備え、車両の車室内に設けられる光ディスク再生装置において、前記車室内の騒音レベルを取得する騒音取得手段と、前記騒音取得手段が取得した騒音レベルが予め定めた閾値未満か否かを判定する騒音レベル判定手段と、前記騒音レベル判定手段が騒音レベルが予め定めた閾値未満と判定した際には前記回転手段の回転数を予め定めた所定値以下とする回転制御手段と、
を備えたことを特徴としている。
【００１０】
請求項４に記載の光ディスク再生プログラムは、光ディスクと、前記光ディスクを回転させる回転手段と、前記光ディスクから情報を読み出す読み出し手段と、前記読み出し手段が読み出した情報を記憶する記憶手段と、を備え、車両の車室内に設けられる光ディスク装置のコンピュータを、前記車室内の騒音レベルを取得する騒音取得手段と、前記騒音取得手段が取得した騒音レベルが予め定めた閾値未満か否かを判定する騒音レベル判定手段と、前記騒音レベル判定手段が、騒音レベルが予め定めた閾値未満と判定した際には前記回転手段の回転数を予め定めた所定値以下とする回転制御手段と、として機能させることを特徴としている。
【図面の簡単な説明】
【００１１】
【図１】本発明の一実施例にかかる光ディスク再生装置のブロック図である。
【図２】図１に示された光ディスク再生装置のリッピング中における騒音低減動作のフローチャートである。
【発明を実施するための形態】
【００１２】
以下、本発明の一実施形態にかかる光ディスク再生装置を説明する。本発明の一実施形態にかかる光ディスク再生装置は、騒音取得手段が取得した騒音レベルが予め定めた閾値を超えたか否かを騒音レベル判定手段で判定し、騒音レベル判定手段が騒音レベルが予め定めた閾値を超えたと判定した際には回転制御手段が回転手段の回転数を予め定めた所定値以下とするように制御するので、車室内の騒音のレベルに応じて光ディスクの回転数を変化させることができる。そのため、車両の走行中など騒音レベルが大きい際は高速で回転させ、車両の停止や徐行など騒音レベルが小さい際は低速で回転させることで光ディスクの回転により使用者が耳障りであると感じることを低減することができる。
【００１３】
また、騒音取得手段が、マイクロホンで構成されていてもよい。このようにすることにより、マイクロホンから車室内の騒音を直接取り込むことで、騒音レベルを得ることができる。
【００１４】
また、騒音取得手段が、車両の走行速度を取得する走行速度取得手段で構成されているとともに、騒音レベル判定手段が、走行速度取得手段が取得した走行速度が予め定めた速度を超えたか否かを判定していてもよい。このようにすることにより、一般的に車両の速度が速い場合は走行音が大きくなることから車室内の騒音レベルが大きくなり、車両の速度が遅い場合は走行音が小さくなることから車室内の騒音レベルが小さくなるために、車両が走行中で走行音が大きい場合は回転数を高くしても光ディスクの回転による動作音が走行音にマスキングされ使用者が耳障りと感じにくくすることができ、車両が停止または徐行中で走行音が小さい場合は光ディスクの回転数を低くすることで光ディスクの回転による動作音を小さくして、使用者が耳障りであると感じることを低減する。
【００１５】
また、本発明の一実施形態にかかる光ディスク再生プログラムは、騒音取得手段が取得した騒音レベルが予め定めた閾値を超えたか否かを騒音レベル判定手段で判定し、騒音レベル判定手段が騒音レベルが予め定めた閾値を超えたと判定した際には回転制御手段が回転手段の回転数を予め定めた所定値以下とするように制御するので、車室内の騒音のレベルに応じて光ディスクの回転数を変化させることができる。そのため、車両の走行中など騒音レベルが大きい際は高速で回転させ、車両の停止や徐行など騒音レベルが小さい際は低速で回転させることで光ディスクの回転により使用者が耳障りであると感じることを低減することができる。
【００１６】
また、上述した光ディスク再生プログラムをコンピュータ読み取り可能な記録媒体に格納してもよい。このようにすることにより、光ディスク再生プログラムを機器に組み込む以外に単体でも流通させることができ、バージョンアップ等も容易に行える。
【実施例】
【００１７】
本発明の一実施例にかかる光ディスク再生装置１を図１および図２を参照して説明する。光ディスク再生装置１は、車両にカーナビゲーションシステムの一部として取り付けられてＤＶＤ、ＣＤ等の光ディスク１２が再生可能な装置である。光ディスク再生装置１は図１に示すように、ＣＰＵ２と、ドライバ５と、ディスクモータ６と、光ピックアップ７と、サーボ制御部を含んだ信号処理部８と、ハードディスクドライブ９と、アンプ１０と、を備えている。
【００１８】
騒音取得手段、騒音レベル判定手段、回転制御手段、走行速度取得手段としてのＣＰＵ２は、ＲＡＭやＲＯＭなどのメモリを内蔵し、光ディスク１２の挿入や排出、再生や停止などの各操作における光ディスク再生装置１全体の制御など行い、本実施例においては特に車両側から入力される車速パルス信号から当該車両の速度を算出して、その速度に応じて信号処理部８のディスク回転制御機能を制御することによってディスクモータ６の回転数の制御を行っている。
【００１９】
ドライバ５は、信号処理部８から入力された制御信号に基づいてディスクモータ６、光ピックアップ７に対するドライブ信号を生成し出力する。
【００２０】
回転手段としてのディスクモータ６は、光ディスク再生装置１にセットされた光ディスク１２を回転させるためのモータであり、スピンドルモータなどで構成されている。また、ディスクモータ６の回転数は等倍速の任意の倍数に回転数を変化させることができる。
【００２１】
読み出し手段としての光ピックアップ７は、光ディスク１２に照射するレーザ光を発生させる図示しないレーザダイオードや、光ディスク１２上にレーザダイオードからのレーザ光を照射するための対物レンズ、また、フォーカス方向やトラッキング方向に対物レンズを駆動するためのアクチュエータおよび光ディスク１２から反射された反射光を受ける受光器などを備え、受光器の出力から光ディスク１２に記録されている映像や音楽などを含むＲＦ信号を生成し信号処理部８へ出力する。
【００２２】
信号処理部８は、光ピックアップ７から入力されたＲＦ信号をデジタルに変換してエラー訂正などを行った後復調や復号を行いアナログ信号に変換してアンプ１０へ出力する。また、リッピングを行う場合はＣＰＵ２を経由してハードディスクドライブ９へ出力する。また、ＣＰＵ２がハードディスクドライブ９から読み出したデータをデジタル／アナログ変換を行いアンプ１０へ出力する。ＣＰＵ２を経由してハードディスクドライブ９へ出力するのはリッピングを行う場合であり、光ディスク１２から読み出したデータを等倍速で直接再生する際には、ハードディスクドライブ９に出力せずにそのままデジタル／アナログ変換を行った後アンプ１０へ出力する。また、光ピックアップ７から入力された信号やＣＰＵからの制御に基づいてドライバ５に対する制御信号を出力する。
【００２３】
格納手段としてのハードディスクドライブ９は、光ディスク１２から高倍速で読み出したデータを蓄積する。一度蓄積されたデータは、以降光ディスク１２からではなく、ハードディスクドライブ９から読み出す。なお、ハードディスクドライブ９ではなくメモリーカードなど不揮発性メモリを使用した記憶媒体を格納手段として用いてもよい。
【００２４】
アンプ１０は、信号処理部８から入力されたアナログ信号を所定量増幅しスピーカ１１に出力する。
【００２５】
次に、上述した構成の光ディスク再生装置１において、リッピング中における騒音低減動作について図２のフローチャートを参照して説明する。
【００２６】
まず、ステップＳ１において、リッピングを開始してステップＳ２に進む。本ステップでは本来リッピング時の設定である高倍速（例えばＣＤであれば２０倍速）の回転数で光ディスク１２を回転させて光ディスク１２からデータを読み出してハードディスクドライブ９へ蓄積する。
【００２７】
次に、ステップＳ２において、光ディスク再生装置１が取り付けられている車両の速度が予め定めた所定の速度未満となったか否かを判断し、所定速度未満であった場合（ＹＥＳの場合）はステップＳ３に進み、そうでない場合（ＮＯの場合）はステップＳ６に進む。本ステップでは、ＣＰＵ２に入力されている車速パルス信号から得られる車両の速度に基づいて判断している。また、予め定めた所定の速度は、高倍速でリッピング時の光ディスク１２の回転動作音が車両の走行音（エンジン音、風切り音、ロードノイズ等）よりも大きいと運転者（使用者）が感じる速度であり、例えば５ｋｍ／ｈ程度とする。
【００２８】
次に、ステップＳ３において、光ディスク１２の回転数を低倍速に変更してステップＳ４に進む。低倍速とは例えばＣＤであれば等倍速〜４倍速程度とし、その速度でリッピングを継続する。即ち、車両の走行速度が遅くなり走行音が小さくなって、高倍速でリッピング時の光ディスク１２の回転動作音がマスキングしきれなくなったので、光ディスク１２を低倍速で回転させて回転動作音を小さくしている。
【００２９】
次に、ステップＳ４において、光ディスク再生装置１が取り付けられている車両の速度が予め定めた所定の速度以上となったか否かを判断し、所定速度以上であった場合（ＹＥＳの場合）はステップＳ５に進み、そうでない場合（ＮＯの場合）はステップＳ７に進む。本ステップでもステップＳ２と同様にＣＰＵ２に入力されている車速パルス信号から得られる車両の速度に基づいて判断している。
【００３０】
次に、ステップＳ５において、光ディスク１２の回転数を高倍速に変更してステップＳ６に進む。つまり、リッピング時の設定である２０倍速に戻してリッピングを継続する。即ち、車両の走行速度が速くなり走行音が大きくなって、高倍速でリッピングしても光ディスク１２の回転動作音がマスキングできるようになったので、光ディスク１２を高倍速で回転させている。
【００３１】
次に、ステップＳ６において、リッピングが終了したか否か判断し、終了した場合はそのまま動作を終了し、終了していない場合はステップＳ２に戻る。リッピング終了の判断は、光ディスク１２のデータを全てハードディスクドライブ９へ蓄積終了した場合や使用者の操作により終了させた場合などである。
【００３２】
ステップＳ７においても、リッピングが終了したか否か判断し、終了した場合はそのまま動作を終了し、終了していない場合はステップＳ４に戻る。
【００３３】
本実施例によれば、車速パルスから取得した車両の速度が予め定めた速度未満か否かをＣＰＵ２で判定し、車両の速度が予め定めた速度未満と判定した際にはディスクモータ６の回転数を４倍速程度まで落とすように制御するので、車室内の騒音のレベルに応じて光ディスク１２の回転数を変化させることができる。そのため、車両の走行中など騒音レベルが大きい際は高速で回転させ、車両の停止や徐行など騒音レベルが小さい際は低速で回転させることで光ディスク１２の回転により使用者が耳障りであると感じることを低減することができる。
【００３４】
また、車速パルス信号は、カーナビゲーションシステムにおいて自車位置の表示などに使用するために元来入力されているため、本実施例においては、本実施例のために新たにハードウェアの追加を必要としない。したがって、コストをかけずにＣＰＵ２で動作するソフトウェア（プログラム）の追加や変更のみで本発明を実現することができる。
【００３５】
なお、上述した実施例では車両の速度を取得する走行速度取得手段を車速パルスを入力することで取得していたが、それに限らずＰＮＤ（Portable Navigation Device）などの場合は、予め設けられている加速度センサやジャイロセンサを用いて速度を取得するようにしてもよい。
【００３６】
また、車両の速度により判断するのに代えて、光ディスク再生装置１にマイクロホンを設け、そのマイクロホンから走行音を取得し、その走行音レベルに基づいて光ディスク１２の回転数を変化させてもよい。近年のカーナビゲーションシステムの場合、操作に音声コマンドを使用するものが多くなっているので、音声コマンド入力用のマイクロホンを走行音取得用のマイクと兼ねれば、ハードウェアの追加が無く本発明を実施することができる。
【００３７】
マイクロホンから走行音を取得し、その走行音レベルに基づいて光ディスク１２の回転数を変化させることで、車室内の走行音が大きい場合は使用者は光ディスク１２の回転による動作音を耳障りと感じにくいので高倍速でリッピングし、車室内の走行音が小さい場合は光ディスク１２の回転による動作音が耳障りと感じやすくなるので低倍速でリッピングするように制御することができる。
【００３８】
前述した実施例によれば、以下の光ディスク再生装置１および光ディスク再生プログラムが得られる。
【００３９】
（付記１）光ディスク１２と、光ディスク１２を回転させるディスクモータ６と、光ディスク１２から情報を読み出す光ピックアップ７と、光ピックアップ７が読み出した情報を格納するハードディスクドライブ９と、を備え、車両の車室内に設けられる光ディスク再生装置１において、
車速パルスを取得するＣＰＵ２と、
ＣＰＵ２が取得した車速パルスから得た速度が予め定めた所定速度未満か否かを判定するＣＰＵ２と、
ＣＰＵ２が速度が予め定めた所定速度未満と判定した際にはディスクモータ６の回転数を予め定めた所定値以下とするＣＰＵ２と、
を備えたことを特徴とする光ディスク再生装置１。
【００４０】
この光ディスク再生装置１によれば、車両の速度に応じて光ディスク１２の回転数を変化させることができる。そのため、車両の走行中など騒音レベルが大きい際は高速で回転させ、車両の停止や徐行など騒音レベルが小さい際は低速で回転させることで光ディスク１２の回転により使用者が耳障りであると感じることを低減することができる。
【００４１】
（付記２）光ディスク１２と、光ディスク１２を回転させるディスクモータ６と、光ディスク１２から情報を読み出す光ピックアップ７と、光ピックアップ７が読み出した情報を記憶するハードディスクドライブ９と、を備え、車両の車室内に設けられる光ディスク装置のＣＰＵ２を、
車速パルスを取得するステップＳ２と、
前記ステップＳ２が車速パルスから得た速度が予め定めた所定速度未満か否かを判定するステップＳ２と、
ステップＳ２が速度が予め定めた所定速度未満と判定した際にはディスクモータ６の回転数を予め定めた所定値以下とするステップＳ３と、
として機能させることを特徴とする光ディスク再生プログラム。
【００４２】
この光ディスク再生プログラムによれば、車両の速度に応じて光ディスク１２の回転数を変化させることができる。そのため、車両の走行中など騒音レベルが大きい際は高速で回転させ、車両の停止や徐行など騒音レベルが小さい際は低速で回転させることで光ディスク１２の回転により使用者が耳障りであると感じることを低減することができる。
【００４３】
なお、前述した実施例は本発明の代表的な形態を示したに過ぎず、本発明は、実施例に限定されるものではない。すなわち、本発明の骨子を逸脱しない範囲で種々変形して実施することができる。
【符号の説明】
【００４４】
１        光ディスク再生装置
２        ＣＰＵ（騒音取得手段、騒音レベル判定手段、回転制御手段、走行速度取得手段）
６        ディスクモータ（回転手段）
７        光ピックアップ（読み出し手段）
９        ハードディスクドライブ（格納手段）
１２      光ディスク
【図１】
2011108340.tif 000003
【図２】
2011108340.tif 000004